(57)【要約】【課題】投票カードへのマークミスを防ぐことができる投票カード印刷システムを提供する。【解決手段】投票カードのイメージデータを取得する読取ユニット７０と、読取ユニットにより取得した投票カードのイメージデータからくじ種類を判別し、判別したくじ種類に基づいて対象くじに関する開催情報を問い合わせる本体ユニット７１とを備える投票カード印刷装置４と、問い合わせに基づき、開催情報を投票カード印刷装置へ通知する開催情報管理サーバ２とを備え、投票カード印刷装置は、取得した対象くじの開催情報を投票カードの所定の欄に印刷する。【選択図】図７Ａ
2019101523.tif 000002
【特許請求の範囲】
【請求項１】
くじの投票に用いられる投票カードに対象くじに関する開催情報を印刷する投票カード印刷システムであって、
前記投票カードのイメージデータを取得する読取ユニットと、
前記読取ユニットにより取得した前記投票カードのイメージデータからくじ種類を判別し、判別した前記くじ種類に基づいて対象くじに関する前記開催情報を問い合わせる本体ユニットとを備える投票カード印刷装置と、
前記問い合わせに基づき、前記開催情報を前記投票カード印刷装置へ通知する開催情報管理サーバとを備え、
前記投票カード印刷装置は、取得した前記対象くじの開催情報を前記投票カードの所定の欄に印刷することを特徴とする投票カード印刷システム。
【請求項２】
判別した前記くじ種類に対応する投票情報の前記本体ユニットによる問い合わせに基づき、前記投票情報を前記投票カード印刷装置へ通知する投票情報管理サーバを更に備え、
前記投票カード印刷装置は、取得した前記対象くじの投票情報を前記投票カードの所定の欄に印刷することを特徴とする請求項１に記載の投票カード印刷システム。
【請求項３】
前記投票情報は、前記くじ種類ごとに投票状況が反映された情報であることを特徴とする請求項２に記載の投票カード印刷システム。
【請求項４】
くじの投票に用いられる投票カードに対象くじに関する開催情報を印刷する投票カード印刷装置であって、
前記投票カードのイメージデータを取得する読取部と、
前記読取部により取得した前記投票カードのイメージデータからくじ種類を判別し、判別した前記くじ種類に基づいて対象くじに関する前記開催情報を開催情報管理サーバへ問い合わせる本体部と、
前記問い合わせに基づいて前記開催情報管理サーバから通知される前記開催情報を受信し、取得した前記対象くじの開催情報を前記投票カードの所定の欄に印刷する印刷部とを、
備えることを特徴とする投票カード印刷装置。
【請求項５】
くじの投票に用いられる投票カードに対象くじに関する開催情報を印刷する投票カード印刷方法であって、
前記投票カードのイメージデータを取得するステップと、
取得した前記投票カードのイメージデータからくじ種類を判別するステップと、
判別した前記くじ種類に基づいて対象くじに関する前記開催情報を開催情報管理サーバへ問い合わせるステップと、
前記問い合わせに基づいて前記開催情報管理サーバから通知される前記開催情報を受信するステップと、
取得した前記対象くじの開催情報を前記投票カードの所定の欄に印刷するステップとを、
有することを特徴とする投票カード印刷方法。
【発明の詳細な説明】
【技術分野】
【０００１】
本発明は、投票カードへの印刷を行う投票カード印刷システムに関する。
【背景技術】
【０００２】
スポーツくじを購入する方法としては、インターネットを利用した購入、コンビニエンスストアでの購入、店舗（くじ売り場）での購入などがある。店舗にてスポーツくじを購入する場合は、指定の投票カード（マークカード）に予想した結果を記入し、スポーツくじ端末に記入したマークカードを読み込ませ、センターと通信を行う（特許文献１を参照）。これによって、予想を反映した投票券（チケット）が発券され、スポーツくじを購入することができる。投票カードには開催回毎に対戦チームが印刷されており、購入者が対戦チームを確認しながらマークできるように工夫されている。
【０００３】
一方で、予想型のスポーツくじの場合、開催回毎に対戦チームが変わるため、投票カードを作り直さなければならない。その問題を解決するために汎用の投票カード（対戦チームが空欄の投票カード）に対戦チームが印刷されたレシートをあてながらマークする方法が考えられている。
【先行技術文献】
【特許文献】
【０００４】
【特許文献１】特開２００１−５２０９９号公報
【発明の概要】
【発明が解決しようとする課題】
【０００５】
しかし、購入者は対戦チームが印刷されたレシートを汎用の投票カードにあてながらマークするため、マークしにくく、マーク中にレシートがずれて所望のマークをすることができない場合がある。また、投票カードの開催回は購入者がマークするため、マークミスが起こる可能性がある。また、予想型のスポーツくじは複数あるため、レシートを異なるくじ種類の投票カードにあててマークしてしまうという問題がある。
【０００６】
本発明は、上記課題に鑑み、投票カードへのマークミスを防ぐことができる投票カード印刷システムを提供することを目的とする。
【課題を解決するための手段】
【０００７】
上記目的を達成するために、本発明は、くじの投票に用いられる投票カードに対象くじに関する開催情報を印刷する投票カード印刷システムであって、前記投票カードのイメージデータを取得する読取ユニットと、前記読取ユニットにより取得した前記投票カードのイメージデータからくじ種類を判別し、判別した前記くじ種類に基づいて対象くじに関する前記開催情報を問い合わせる本体ユニットとを備える投票カード印刷装置と、前記問い合わせに基づき、前記開催情報を前記投票カード印刷装置へ通知する開催情報管理サーバとを備え、前記投票カード印刷装置が、取得した前記対象くじの開催情報を前記投票カードの所定の欄に印刷することを特徴とする。
【０００８】
また、本発明の投票カード印刷システムは、判別した前記くじ種類に対応する投票情報の前記本体ユニットによる問い合わせに基づき、前記投票情報を前記投票カード印刷装置へ通知する投票情報管理サーバを更に備え、前記投票カード印刷装置が、取得した前記対象くじの投票情報を前記投票カードの所定の欄に印刷する。
【０００９】
また、本発明の投票カード印刷システムにおいて、前記投票情報は、前記くじ種類ごとに投票状況が反映された情報である。
【００１０】
また、本発明は、くじの投票に用いられる投票カードに対象くじに関する開催情報を印刷する投票カード印刷装置であって、前記投票カードのイメージデータを取得する読取部と、前記読取部により取得した前記投票カードのイメージデータからくじ種類を判別し、判別した前記くじ種類に基づいて対象くじに関する前記開催情報を開催情報管理サーバへ問い合わせる本体部と、前記問い合わせに基づいて前記開催情報管理サーバから通知される前記開催情報を受信し、取得した前記対象くじの開催情報を前記投票カードの所定の欄に印刷する印刷部とを、備えることを特徴とする。
【００１１】
また、本発明は、くじの投票に用いられる投票カードに対象くじに関する開催情報を印刷する投票カード印刷方法であって、前記投票カードのイメージデータを取得するステップと、取得した前記投票カードのイメージデータからくじ種類を判別するステップと、判別した前記くじ種類に基づいて対象くじに関する前記開催情報を開催情報管理サーバへ問い合わせるステップと、前記問い合わせに基づいて前記開催情報管理サーバから通知される前記開催情報を受信するステップと、取得した前記対象くじの開催情報を前記投票カードの所定の欄に印刷するステップとを、有することを特徴とする。
【発明の効果】
【００１２】
本発明によれば、投票カードへのマークミスを防ぐことができるとともに、投票情報などの付加情報をマークカードに印刷することで予想の一助となり、投票情報などの付加情報を参考に購入番号を選択することができる。
【図面の簡単な説明】
【００１３】
【図１】実施形態における投票カード印刷システムの構成の一例を示す図である。
【図２】実施形態における投票カード（マークカード）の一例を示す図である。
【図３Ａ】実施形態における開催情報管理テーブルの一例を示す図である。
【図３Ｂ】実施形態におけるスポーツくじタイプＡテーブルの一例を示す図である。
【図３Ｃ】実施形態におけるスポーツくじタイプＣテーブルの一例を示す図である。
【図４】実施形態における投票情報管理テーブル（スポーツくじタイプＣ（シングル））の一例を示す図である。
【図５】実施形態における投票情報が印刷された投票カードの一例を示す図である。
【図６】実施形態における投票情報管理テーブル（スポーツくじタイプＡ（シングル））の一例を示す図である。
【図７Ａ】実施形態における投票カード印刷装置のハードウェア構成の一例を示す構成図である。
【図７Ｂ】実施形態における読取ユニットの外観側面の一例を示す図である。
【図７Ｃ】実施形態におけるチケットプリンタの外観側面の一例を示す図である。
【図８】実施形態における投票カード印刷システムの情報印刷の処理シーケンスの一例を示す図である。
【図９】実施形態における投票カード印刷装置の情報印刷の処理フローの一例を示すフローチャートである。
【発明を実施するための形態】
【００１４】
以下、実施形態について図面を参照して説明する。図１は実施形態における投票カード印刷システムの構成の一例を示す図である。投票カード印刷システム１は、スポーツくじに投票する際に用いられる投票カード（マークカードとも言う）に対象くじに関する開催情報を印刷するもので、開催情報管理サーバ２、投票情報管理サーバ３、投票カード印刷装置４（４ａ、４ｂ、・・・）から構成されている。なお、投票カード印刷システム１の構成はこれに限定されるものではなく、他の構成を含むものであってもよい。
【００１５】
スポーツくじとは、例えばサッカーの指定された試合の結果や各チームの得点数を予想して投票カードで投票し、的中すると当せん金を受け取ることができるくじである。対象となる対象くじには、試合の結果を予想するスポーツくじ（後述するスポーツくじタイプＡ（シングル）など）、指定された２試合（４チーム）の各チームの所定の試合時間（例えば９０分間）での得点数を予想するスポーツくじ（後述するスポーツくじタイプＣ（シングル）など）など複数の種類のくじがある。購入者（投票者）は対象くじごとに投票カードを用いて投票する。
【００１６】
また、投票カードとは試合の結果や得点数の予想を記載するためのものであり、例えば図２に示すマークシート方式のマークカードである。図２に示す投票カードは、スポーツくじタイプＣ（シングル）の投票に用いられる投票カードであり、開催情報が印刷される前のものである。ここでは、スポーツくじタイプＣ（シングル）の投票カードを例に挙げているが、投票カードは後述するくじ種類（８種類）ごとに用意されている。スポーツくじタイプＣ（シングル）とは、指定された２試合（４チーム）の所定の試合時間（例えば９０分間）での得点について「０点」、「１点」、「２点」、「３点以上」の中から１チームごとに得点を予想するくじである。
【００１７】
開催情報とは、例えば開催されるサッカーの試合に関する情報であって、開催回、開催日、対戦チーム（予想チーム）などの情報である。
【００１８】
開催回は複数回開催される試合のうちの何回目（何節目）の試合であるかを示すものであり、１回目の開催であれば開催回は１回である。開催回が１回の場合、後述する投票カードへの開催情報の印刷時において、投票カード印刷装置４によってマークカードの開催回の欄２０の十の位の０と一の位の１が塗りつぶし印刷される。
【００１９】
開催日は試合が開催される日付を示すものであり、８月６日に試合が行われる場合には８月６日である旨の表記（例えば、８／６など）が開催情報の印刷時に投票カード印刷装置４によって開催日の欄２１の欄に印刷される。
【００２０】
対戦チームは対戦するチーム、すなわち各試合における対戦チーム（例えば、Ａチーム VS Ｂチーム、Ｃチーム VS Ｄチーム、・・・）を示すものである。対戦チームの情報は、スポーツくじタイプＡ（シングル）などのようにホームチームの「勝ち」、「負け」、「その他の結果（引き分け・延長）」のいずれかを選択して投票するくじで利用される情報である。その場合のくじの投票カードは図２に示す投票カードと異なり、予想チームという記載が対戦チームという記載となっており、対戦チームの欄にＡチームとＢチームが対戦する旨の表記（例えば、ＡチームVS Ｂチームなど）が開催情報の印刷時に投票カード印刷装置４によって印刷される。なお、この場合の投票カードは予想をチェックするチェック欄も図２に示すような０、１、２、３のチェック欄ではなく、０、１、２のチェック欄となる。
【００２１】
予想チームは、得点数を予想するスポーツくじタイプＣ（シングル）などで利用される情報であり、例えば指定された２試合の４チームの名称の情報である。これらの名称が開催情報の印刷時に投票カード印刷装置４によって図２に示す予想チームの欄２２に印刷される。
【００２２】
なお、ランダムチャンスの欄２３は、予想が煩雑である場合にコンピュータに自動的にマークさせるためのものであり、ランダムチャンスの欄２３にチェックすることでコンピュータによる自動的なマークが可能となる。また、取消の欄２４はチェック済（マーク済）の投票を無効にするためのものである。
【００２３】
開催情報管理サーバ２は、開催情報を管理するものであり、例えば図３Ａに示すように開催情報管理テーブルとして開催情報を管理している。開催情報管理サーバ２は、投票カード印刷装置４からの開催情報の問い合わせに基づいて開催情報を投票カード印刷装置４へ通知する。開催情報管理テーブルは各くじの種類を示すくじ種類、開催回、対戦情報から構成されている。この例ではくじ種類は８種類あり、いずれも開催回は２回となっている。くじ種類について説明する。
【００２４】
スポーツくじタイプＡ（シングル）は、指定された試合の各試合につき、ホームチームの所定の試合時間（例えば９０分間）での「勝ち」、「負け」、「その他の結果（引き分け・延長）」のいずれか１つを選択して投票するくじである。
【００２５】
スポーツくじタイプＡ（マルチ）は、スポーツくじタイプＡ（シングル）のようにいずれか１つを選択する以外に、「勝ち」、「負け」、「その他の結果（引き分け・延長）」の３つの選択肢を同時に複数選択して投票するくじである。試合の勝敗の予想に迷った場合に用いられる。
【００２６】
スポーツくじタイプＢ（シングル）は、指定された試合の各試合につき、ホームチームの所定の試合時間（例えば９０分間）での「勝ち」、「負け」、「その他の結果（引き分け・延長）」のいずれか１つを選択して投票するくじである。スポーツくじタイプＡ（シングル）と比べて、指定された試合数が少ない（ミニ）くじである。
【００２７】
スポーツくじタイプＢ（マルチ）は、スポーツくじタイプＡ（シングル）のようにいずれか１つを選択する以外に、「勝ち」、「負け」、「その他の結果（引き分け・延長）」の３つの選択肢を同時に複数選択して投票するくじである。スポーツくじタイプＡ（マルチ）と比べて、指定された試合数が少ない（ミニ）くじである。
【００２８】
スポーツくじタイプＣ（シングル）は、上述したように、指定された２試合（４チーム）の所定の試合時間（例えば９０分間）での得点について「０点」、「１点」、「２点」、「３点以上」の中から１チームごとに得点を予想するくじである。
【００２９】
スポーツくじタイプＣ（マルチ）は、指定された２試合（４チーム）の所定の試合時間（例えば９０分間）での得点について「０点」、「１点」、「２点」、「３点以上」の中から１チームごとに得点を複数選択可能なくじである。
【００３０】
スポーツくじタイプＤ（シングル）は、指定された３試合（６チーム）の所定の試合時間（例えば９０分間）での得点について「０点」、「１点」、「２点」、「３点以上」の中から１チームごとに得点を予想するくじである。
【００３１】
スポーツくじタイプＤ（マルチ）は、指定された３試合（６チーム）の所定の試合時間（例えば９０分間）での得点について「０点」、「１点」、「２点」、「３点以上」の中から１チームごとに得点を複数選択可能なくじである。
【００３２】
くじ種類ごとの対戦情報は各種テーブルを参照するようになっており、例えばスポーツくじタイプＡ（シングル）及びスポーツくじタイプＡ（マルチ）はスポーツくじタイプＡテーブル（図３Ｂ）を参照するようになっている。また、スポーツくじタイプＣ（シングル）及びスポーツくじタイプＣ（マルチ）はスポーツくじタイプＣテーブル（図３Ｃ）を参照するようになっている。
【００３３】
スポーツくじタイプＣテーブルは、図３Ｂに示すように、項、開催日、ホーム、アウェイから構成されている。開催日はいずれも８月６日で、全部で１３試合ある。ホームとはホームグラウンドのチームを意味し、アウェイとはアウェイグラウンドのチームを意味し、試合はホームに記載されたチームのグラウンドで行われる。
【００３４】
スポーツくじタイプＣテーブルは、図３Ｃに示すように、項、開催日、予想チームから構成されている。開催日はいずれも８月６日で、指定された試合は２試合（４チーム）である。予想チームは指定された２試合の４チームが示されている。この例では指定された２試合がＡチーム対Ｂチーム、Ｅチーム対Ｆチームの場合であり、予想チームはＡチーム、Ｂチーム、Ｅチーム、Ｆチームとなっている。
【００３５】
開催情報管理サーバ２は投票カード印刷装置４の問い合わせに応じたテーブルの情報を投票カード印刷装置４へ通知（送信）する。
【００３６】
投票情報管理サーバ３は、投票情報を管理するものであり、例えば図４に示すように投票情報管理テーブルとして投票情報を管理している。投票情報管理サーバ３は、投票カード印刷装置４による投票情報の問い合わせに基づき、投票情報を投票カード印刷装置４へ通知する。投票情報とは、対象くじごとに投票状況が反映された情報であって、例えばスポーツくじタイプＣの場合、得点数ごとに人気のあるチームが示された情報である。
【００３７】
図４に示す投票情報管理テーブルは、スポーツくじタイプＣ（シングル）の投票の集計結果（票数）を示しており、開催回、開催日、予想チーム（指定された２試合の４チーム）、集計結果（票数）から構成されている。この例では開催回は２回、開催日は８月６日、予想チームはＡチーム、Ｂチーム、Ｅチーム、Ｆチームとなっている。この集計結果によれば、Ａチームは２得点すると予想する口が５００口で最も多く、Ｂチームは１得点すると予想する口が７００口で最も多く、Ｅチームは得点しないと予想する口が４００口で最も多く、Ｆチームは３得点以上すると予想する口が７００口で最も多い。なお、購入者によっては１つの予想に対して複数投票する場合があるため、必ずしも予想する口と購入者の数が一致するとは限らない。
【００３８】
この集計結果、すなわち投票情報が投票情報管理サーバ３から投票カード印刷装置４へ通知されると、投票情報の印刷時に投票カード印刷装置４によって投票カードに投票情報が印刷される。投票情報が印刷された投票カードの一例を図５に示す。
【００３９】
図５に示す投票カードはスポーツくじタイプＣ（シングル）の投票カードであり、予想チームの４チームそれぞれに括弧書きで数字が記載されている。これは、括弧内の数字の得点を取ると予想した口が最も多いことを示している。すなわち、Ａチームは括弧内の数字が２であるため、Ａチームが２得点すると予想する口が最も多いことを示している。また、Ｆチームは括弧内の数字が３であるため、Ｆチームが３得点以上すると予想する口が最も多いことを示している。
【００４０】
ここではスポーツくじタイプＣ（シングル）の投票の集計結果についてのみ説明したが、スポーツくじタイプＡ（シングル）などの場合には、例えば図６に示すように各試合におけるホームとアウェイのチームの投票率を集計するようにしてもよい。この例における投票率に示すホームにはホームチームが勝つ又は引き分けると予想された割合が示され、アウェイにはアウェイチームが勝つと予想された割合が示されている。
【００４１】
なお、投票情報は、リアルタイムに取得した結果、提供できるすべての情報、例えば上述した得点数ごとに人気のあるチームを示す情報、直近数時間のうちで投票数の多い番号（予想結果をチェックするための投票カードの番号０、１、２、３）、番号ごとの人気の割合など以外であってもよい。例えば、対戦チームの対戦成績や勝率、現在の順位など投票をする際に役立つ情報であってもよい。また、購入者は、上述したような複数の種類の投票情報から投票カードに印刷する内容を選択できるようにしてもよい。
【００４２】
投票カード印刷装置４は、対象くじの開催情報を投票カードの所定の欄、すなわち開催回、開催日、対戦チーム（予想チーム）の欄に印刷する。具体的には、投票カード印刷装置４は、投票カードのイメージデータを取得し、取得した投票カードのイメージデータからくじ種類を判別する。投票カード印刷装置４は、判別したくじ種類に基づいて対象くじに関する開催情報を開催情報管理サーバ２へ問い合わせ、開催情報管理サーバ２から通知された開催情報を投票カードの所定の欄に印刷する。
【００４３】
ここで、実施形態における投票カード印刷装置のハードウェア構成の一例について図７Ａを用いて説明する。投票カード印刷装置４は読取ユニット（読取部）７０、本体ユニット（本体部）７１、店舗表示モニタ７２、お客様用表示モニタ７３、チケットプリンタ７４、磁気カード読取ユニット７５、プリンタ（印刷部）７６から構成されている。本体ユニット７１とプリンタ７６はＬＡＮ（Local Area Network）７７または専用線によって接続されている。
【００４４】
各ユニットには、ＨＤＤ（Hard Disk Drive）などに格納されるユニットの各種処理を行うためのプログラムを読み込み、読み込んだプログラムをＲＡＭ（Random Access Memory）に一時的に格納し、そのプログラムにしたがって各種処理を行うＣＰＵ（Central Processor Unit）が含まれていてもよい。なお、投票カード印刷装置４の構成はこれに限定されるものではなく、他の構成要素を含むものであってもよい。
【００４５】
読取ユニット７０は、投票カード印刷装置４を操作するオペレータ（スポーツくじを販売する人）から、開催情報が印刷される前の投票カード（図２を参照）を受け付け、投票カードのイメージデータを取得し、取得したイメージデータを本体ユニット７１へ送信する。なお、イメージデータの取得後、読取ユニット７０は投票カードをオペレータに返却する。また、読取ユニット７０が投票カードのイメージデータを取得できない場合にはオペレータに投票カードが返却され、読取ユニット７０は再度投票カードを受け付ける。
【００４６】
読取ユニット７０の外観側面の概略図の一例を図７Ｂに示す。読取ユニット７０は投票カードを挿入するための挿入口７８ａ、７８ｂを備える。挿入口７８ａ、７８ｂに投票カードを挿入することによって投票カードのイメージデータが取得される。なお、挿入口の数は２つに限定されるものではない。
【００４７】
本体ユニット７１は、受信した投票カードのイメージデータに基づいてくじ種類を判別する。くじ種類の判別としては、例えばイメージデータとあらかじめ用意された各くじのイメージデータとを照合し、照合結果に基づいてイメージデータが取得された投票カードのくじ種類を判別する。また、イメージデータ全体による照合ではなく、投票カードの一部にくじ種類を識別する識別情報を付し、その識別情報を認識することでくじ種類を判別するようにしてもよい。また、くじ種類ごとに投票カードの形状や材質を異なるようにしてくじ種類を判別するようにしてもよい。
【００４８】
本体ユニット７１は、くじ種類の判別によってくじ種類が判明すると、判明した対象くじの開催情報を取得するための問い合わせを開催情報管理サーバ２に行い、該当する開催情報があれば開催情報を開催情報管理サーバ２から受信する。本体ユニット７１は、さらに投票情報を取得するための問い合わせを投票情報管理サーバ３へ行い、該当する投票情報があれば投票情報を投票情報管理サーバ３から受信する。
【００４９】
本体ユニット７１は、受信した開催情報と投票情報を投票カードへ印刷させるためにそれらの情報を印刷情報としてプリンタ７６へ送信する。
【００５０】
プリンタ７６は、印刷情報を本体ユニット７１から受信後、オペレータから投票カードを受け付けると開催情報と投票情報を投票カードへ印刷し、印刷後に投票カードをオペレータに返却する。
【００５１】
店舗表示モニタ７２はオペレータが投票カードを発券するために用いられるモニタであって、例えばタッチパネル式のモニタである。また、お客様用表示モニタ７３はくじの購入者に対してスポーツくじに関する広告などを表示するモニタである。
【００５２】
また、チケットプリンタ７４は、開催情報や投票情報が印刷され、更に購入者による予想がマークされた投票カードを受け付けると、予想を印刷し、チケットを発券する。チケットプリンタ７４の外観側面の概略図の一例を図７Ｃに示す。チケットプリンタ７４は不図示のチケット排出口を備え、チケットを発券する際にはチケット排出口から排出され、排出されたチケットはチケット受け部７９に置かれる。
【００５３】
また、磁気カード読取ユニット７５は、チケット購入の決済をクレジットカードなどで行う際に用いられるものであって、クレジットカードの磁気データを読み取るものである。また、会員カード等の情報を読み取ることも可能である。
【００５４】
ここで、実施形態における投票カード印刷システムの情報印刷の処理シーケンスの一例について図８を用いて説明する。読取ユニット７０は、開催情報や投票情報が印刷されていない投票カードをオペレータから受け付け、投票カードのイメージデータを取得する（Ｓ８１）。イメージデータを取得すると、読取ユニット７０は投票カードをオペレータへ返却し、取得したイメージデータを本体ユニット７１へ送信する（Ｓ８２）。
【００５５】
本体ユニット７１は、受信したイメージデータに基づいてくじ種類を判別し（Ｓ８３）、くじ種類が判明すると、判明した対象くじの開催情報を取得するため、開催情報管理サーバ２へ問い合わせ（該当くじの開催情報問い合わせ）を行う（Ｓ８４）。
【００５６】
本体ユニット７１からの問い合わせを受信した開催情報管理サーバ２は、該当する開催情報があれば開催情報を本体ユニット７１へ送信する（Ｓ８５）。すなわち、該当くじの開催情報送信を行う。
【００５７】
本体ユニット７１は、さらに投票情報を取得するため、投票情報管理サーバ３へ問い合わせ（投票情報問い合わせ）を行う（Ｓ８６）。
【００５８】
本体ユニット７１からの問い合わせを受信した投票情報管理サーバ３は、該当する投票情報があれば投票情報を本体ユニット７１へ送信する（Ｓ８７）。すなわち、投票情報送信を行う。
【００５９】
開催情報と投票情報を受信した本体ユニット７１は、開催情報と投票情報を投票カードへ印刷させるためにそれらの情報を印刷情報としてプリンタ７６へ送信する（Ｓ８８）。
【００６０】
印刷情報を受信したプリンタ７６は、オペレータから投票カードを受け付けると開催情報と投票情報を投票カードへ印刷し（Ｓ８９）、印刷後に投票カードをオペレータに返却する。
【００６１】
次に、実施形態における投票カード印刷装置の情報印刷の処理フローの一例について図９を用いて説明する。
【００６２】
読取ユニット７０は、開催情報や投票情報が印刷されていない投票カードをオペレータから受け付け（ステップＳ９０１）、投票カードのイメージデータを取得する（ステップＳ９０２）。イメージデータを取得すると、読取ユニット７０は投票カードをオペレータへ返却し（ステップＳ９０３）、取得したイメージデータを本体ユニット７１へ送信する（ステップＳ９０４）。
【００６３】
本体ユニット７１は、受信したイメージデータに基づいてくじ種類を判別し（ステップＳ９０５）、くじ種類が判明すると、判明した対象くじの開催情報を取得するため、開催情報管理サーバ２へ問い合わせし（ステップＳ９０６）、開催情報を取得する（ステップＳ９０７）。
【００６４】
本体ユニット７１は、さらに投票情報を取得するため、投票情報管理サーバ３へ問い合わせし（ステップＳ９０８）、投票情報を取得する（ステップＳ９０９）。
【００６５】
開催情報と投票情報を受信した本体ユニット７１は、開催情報と投票情報を投票カードへ印刷させるためにそれらの情報を印刷情報としてプリンタ７６へ送信する（ステップＳ９１０）。
【００６６】
印刷情報を受信したプリンタ７６は、オペレータから投票カードを受け付けると開催情報と投票情報を投票カードへ印刷し（ステップＳ９１１）、印刷後に投票カードをオペレータに返却する（ステップＳ９１２）。
【００６７】
上述した実施形態の投票カード印刷システムによれば、投票カード（マークカード）へのマークミス、すなわち、開催回のマークミスやくじ種類を間違ったマークを防ぐことができる。また、開催回毎の投票カードをあらかじめ大量に印刷しておく必要がないため、投票カードが余って廃棄されることを防ぐことができる。また、投票情報などの付加情報をマークカードに印刷することで予想の一助となり、投票情報などの付加情報を参考に購入番号を選択することができる。
【００６８】
また、上述した実施形態は、上述したものに限定されるものではなく、実施形態の要旨を逸脱しない範囲において種々の変更を加えることができる。
【符号の説明】
【００６９】
１  投票カード印刷システム
２  開催情報管理サーバ
３  投票情報管理サーバ
４（４ａ、４ｂ）  投票カード印刷装置
２０  開催回の欄
２１  開催日の欄
２２  対戦チームの欄
２３  ランダムチャンスの欄
２４  取消の欄
７０  読取ユニット
７１  本体ユニット
７２  店舗表示モニタ
７３  お客様用表示モニタ
７４  チケットプリンタ
７５  磁気カード読取ユニット
７６  プリンタ
７７  ＬＡＮ
７８ａ、７８ｂ  挿入口
７９  チケット受け部
【図１】
2019101523.tif 000003
【図２】
2019101523.tif 000004
【図３Ａ】
2019101523.tif 000005
【図３Ｂ】
2019101523.tif 000006
【図３Ｃ】
2019101523.tif 000007
【図４】
2019101523.tif 000008
【図５】
2019101523.tif 000009
【図６】
2019101523.tif 000010
【図７Ａ】
2019101523.tif 000011
【図７Ｂ】
2019101523.tif 000012
【図７Ｃ】
2019101523.tif 000013
【図８】
2019101523.tif 000014
【図９】
2019101523.tif 000015